(57)【要約】【課題】ストーリ性を有する画像を編集し、編集に際して与えるストーリを変化させることが可能な、編集装置、および編集方法を提供する。【解決手段】画像の編集の開始に関する条件を示す処理開始条件を満たすかを判定する処理開始判定部と、処理開始条件を満たすと判定された場合に、画像の編集における拘束条件を示す編集に関する条件を設定する条件設定部と、設定された編集に関する条件に基づいて、画像を編集する編集処理部とを備える、編集装置が提供される。【選択図】図６
2013135280.tif 000002
【特許請求の範囲】
【請求項１】
画像の編集の開始に関する条件を示す処理開始条件を満たすかを判定する処理開始判定部と、
前記処理開始条件を満たすと判定された場合に、画像の編集における拘束条件を示す編集に関する条件を設定する条件設定部と、
設定された編集に関する条件に基づいて、画像を編集する編集処理部と、
を備える、編集装置。
【請求項２】
前記条件設定部は、満たすと判定された前記処理開始条件に関連する、編集に関する条件を設定する、請求項１に記載の編集装置。
【請求項３】
前記処理開始判定部は、画像の再生についてのユーザの反応数または再生された画像に対するユーザの反応数が、閾値以上の場合、または、前記閾値より大きい場合に、前記処理開始条件を満たすと判定し、
前記条件設定部は、前記処理開始条件を満たすと判定されたときの前記反応数に対応する画像、または前記画像の再生区間に基づいて、前記編集に関する条件を設定する、請求項２に記載の編集装置。
【請求項４】
前記処理開始判定部は、ユーザ操作に基づく画像の再生を開始する開始命令が検出された場合に、前記処理開始条件を満たすと判定し、
前記条件設定部は、前記ユーザ操作を行ったユーザに関連する情報に基づいて、前記編集に関する条件を設定する、請求項２に記載の編集装置。
【請求項５】
前記処理開始判定部は、再生されている画像に対して行われるユーザの選択操作が検出された場合に、前記処理開始条件を満たすと判定し、
前記条件設定部は、前記選択操作に対応する画像に基づいて、前記編集に関する条件を設定する、請求項２に記載の編集装置。
【請求項６】
前記処理開始判定部は、編集対象の候補となる画像数が変動した場合に、前記処理開始条件を満たすと判定し、
前記条件設定部は、編集対象の候補となる画像に基づいて、前記編集に関する条件を設定する、請求項１に記載の編集装置。
【請求項７】
前記処理開始判定部は、編集対象の候補となる画像が追加された場合に、前記処理開始条件を満たすと判定し、
前記条件設定部は、追加された画像を基準として、前記編集に関する条件を設定する、請求項６に記載の編集装置。
【請求項８】
前記処理開始条件は、時間に関する条件、編集された画像の再生に関する条件、編集を開始する開始命令に関する条件のいずれかである、請求項１に記載の編集装置。
【請求項９】
前記処理開始判定部は、
編集を開始する開始命令が検出された場合に、前記処理開始条件を満たすと判定し、
前記処理開始条件を満たすと判定したときには、再度編集を開始する開始命令が検出された場合であっても、時間に関する条件、または編集された画像の再生に関する条件が満たされるまで、再度前記処理開始条件を満たすとは判定しない、請求項８に記載の編集装置。
【請求項１０】
画像の編集の開始に関する条件を示す処理開始条件を満たすかを判定するステップと、
前記処理開始条件を満たすと判定された場合に、画像の編集における拘束条件を示す編集に関する条件を設定するステップと、
設定された編集に関する条件に基づいて、画像を編集するステップと、
を有する、編集方法。
【発明の詳細な説明】
【技術分野】
【０００１】
本開示は、編集装置、および編集方法に関する。
【背景技術】
【０００２】
近年、例えばＰＣ（Personal  Computer）などのコンピュータの処理能力の飛躍的な向上に伴い、特別な装置を用いなくとも、実用的な処理時間で画像（動画像／静止画像）の編集を行うことが可能となりつつある。また、上記に伴い、例えば個人的、家庭的に画像の編集を行うユーザの数は、増加している。ここで、画像を編集するためには、例えば、“画像（素材）の分類”、“ストーリの決定”、“画像の選択”、“画像の繋ぎ方の選択”など、様々な作業を要する。そのため、画像の編集の自動化を望むニーズが存在する。
【０００３】
このような中、画像の編集を自動的に行う技術が開発されている。動画像から当該動画像が示すコンテンツの流れを反映させたイベントなどを抽出し、コンテンツの流れが反映されたシーンが繋ぎ合わされた、ダイジェストの画像を自動的に生成する技術としては、例えば、特許文献１が挙げられる。
【先行技術文献】
【特許文献】
【０００４】
【特許文献１】特開２００９−１５３１４４号公報
【発明の概要】
【発明が解決しようとする課題】
【０００５】
例えば特許文献１に記載の技術では、“起承転結”という観点に基づいて動画像からシーンが抽出され、抽出されたシーンが繋ぎ合わされた、ダイジェストの画像が生成される。しかしながら、例えば特許文献１に記載の技術では、“起承転結”という観点に基づいて動画像からシーンが抽出されるので、“起承転結”が成立していないコンテンツを示す動画像を処理する場合には、当該動画像からシーンが抽出されるとは限らない。また、例えば特許文献１に記載の技術を用いる場合には、“起承転結”という観点に基づいて動画像からシーンが抽出されるので、ダイジェストの画像（編集された画像）におけるコンテンツの流れ（いわゆる、ストーリ）を変化させることはできない。
【０００６】
本開示では、ストーリ性を有する画像を編集し、編集に際して与えるストーリを変化させることが可能な、新規かつ改良された編集装置、および編集方法を提案する。
【課題を解決するための手段】
【０００７】
本開示によれば、画像の編集の開始に関する条件を示す処理開始条件を満たすかを判定する処理開始判定部と、上記処理開始条件を満たすと判定された場合に、画像の編集における拘束条件を示す編集に関する条件を設定する条件設定部と、設定された編集に関する条件に基づいて、画像を編集する編集処理部と、を備える、編集装置が提供される。
【０００８】
また、本開示によれば、画像の編集の開始に関する条件を示す処理開始条件を満たすかを判定するステップと、上記処理開始条件を満たすと判定された場合に、画像の編集における拘束条件を示す編集に関する条件を設定するステップと、設定された編集に関する条件に基づいて、画像を編集するステップと、を有する、編集方法が提供される。
【発明の効果】
【０００９】
本開示によれば、ストーリ性を有する画像を編集し、編集に際して与えるストーリを変化させることができる。
【図面の簡単な説明】
【００１０】
【図１】本実施形態に係る編集装置における編集方法に係る処理の一例を説明するための説明図である。
【図２】本実施形態に係る編集装置における編集方法に係る処理の一例を説明するための説明図である。
【図３】本実施形態に係る編集方法に係る処理の一例を示す流れ図である。
【図４】本実施形態に係る編集装置におけるユーザ反応数の更新に係る処理の一例を説明するための流れ図である。
【図５】本実施形態に係る編集装置におけるユーザ反応数の更新に係る処理の一例を説明するための流れ図である。
【図６】本実施形態に係る編集装置の構成の一例を示すブロック図である。
【図７】本実施形態に係る編集装置のハードウェア構成の一例を示す説明図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
また、以下では、下記に示す順序で説明を行う。
１．本実施形態に係る編集方法
２．本実施形態に係る編集装置
３．本実施形態に係るプログラム
【００１３】
（本実施形態に係る編集方法）
本実施形態に係る編集装置の構成について説明する前に、本実施形態に係る編集方法について説明する。また、以下では、本実施形態に係る編集装置が、本実施形態に係る編集方法に係る処理を行うものとして説明する。
【００１４】
［１］本実施形態に係る編集方法の概要
画像（例えば、動画像や、スライドショーなどの複数の静止画像）は、音楽や音声などの音と異なり、一般的に飽きられやすい。そのため、同じ画像がユーザにより繰り返し見られるということは、少ない。よって、画像は、例えば、一通りの関係者が視聴してしまえばその後は見られる機会がなくなることが多い。
【００１５】
そこで、本実施形態に係る編集装置は、ストーリ性を有する画像を編集し、編集に際して与えるストーリを変化させる。ストーリ性を有する画像を編集し、与えるストーリを変化させることによって、本実施形態に係る編集装置は、編集された画像が持つ新鮮味を維持させることが可能となる。よって、本実施形態に係る編集装置は、例えば、ユーザ（または、複数人のユーザ。以下、同様とする。）が編集された画像に飽きることを防止し、また、ユーザによる編集された画像の視聴回数の増加を図ることができる。
【００１６】
ここで、本実施形態に係るストーリとは、例えば、編集された画像コンテンツの流れであり、シーンの組合せで表される。また、本実施形態に係るシーンとは、例えば、画像が示す要素、または、画像が示す要素の組合せである。画像が示す要素としては、例えば、画像における場面（場所や風景、背景など）や、画像に含まれる被写体（人や、動物、植物、物など）、被写体の動き、画像が示す時間（画像が示す時代や、年代、季節、朝・昼・晩など）などが挙げられる。
【００１７】
より具体的には、本実施形態に係る編集装置は、画像の編集の開始に関する条件を示す処理開始条件を満たすかを判定する（処理開始判定処理）。また、本実施形態に係る編集装置は、処理開始条件を満たすと判定された場合には、画像の編集における拘束条件を示す編集に関する条件を設定する（条件設定処理）。そして、本実施形態に係る編集装置は、設定された編集に関する条件に基づいて、画像を編集する（編集処理）。
【００１８】
ここで、本実施形態に係る処理開始条件とは、本実施形態に係る編集装置が処理を開始するトリガとなる条件である。本実施形態に係る処理開始条件としては、例えば、時間に関する条件や、編集された画像の再生に関する条件、編集を開始する開始命令に関する条件などが挙げられる。本実施形態に係る時間に関する条件としては、例えば、画像が編集されてからの経過時間や、特定の月日（例えば、記念日や正月、イベントの開催日など）、特定の時刻（または時間帯）などに関する条件が挙げられる。また、本実施形態に係る編集された画像の再生に関する条件としては、例えば、編集された画像の視聴回数（例えば、ユーザＩＤに基づき判定される特定のユーザによる視聴回数や、ユーザによらない視聴回数など）や、視聴率（例えば、視聴を許可されたユーザ数と視聴したユーザ数の比など）が挙げられる。また、本実施形態に係る編集を開始する開始命令に関する条件としては、例えば、編集を開始する開始命令（例えば、ユーザのリクエストに応じた開始命令）が検出されたことが挙げられる。なお、本実施形態に係る編集装置は、検出された画像の再生を開始する開始命令に基づいて、編集を開始する開始命令の検出の有無を判定することも可能である。例えば、本実施形態に係る編集装置は、所定の回数を超えて画像の再生を開始する開始命令が検出された場合に、編集を開始する開始命令が検出されたと判定してもよい。
【００１９】
なお、本実施形態に係る処理開始条件は、上記に限られない。例えば、本実施形態に係る処理開始条件は、ユーザの行動に関する条件であってもよい。本実施形態に係るユーザの行動に関する条件に係るユーザの行動としては、例えば、表示画面に表示された画像に対するリアクション（例えば、ポインティングデバイスでの指示、タッチパネルでの操作など）や、画像の再生に関する操作（例えば、視聴の中断操作や、巻き戻し操作など）、ジェスチャなどが挙げられる。また、本実施形態に係るユーザの行動に関する条件に係るユーザの行動は、例えば、ＳＮＳ（Social  Network  Service）などを提供する他のシステムに対するコメントの書き込みや投稿などであってもよい。
【００２０】
また、本実施形態に係る編集に関する条件とは、ストーリを規定する条件である。本実施形態に係る編集装置は、本実施形態に係る編集に関する条件を設定することによって、編集に際して与えるストーリを変化させる。
【００２１】
本実施形態に係る編集に関する条件は、例えば、本実施形態に係る処理開始条件と関連する条件であってもよいし、本実施形態に係る処理開始条件とは関連しない、独立の条件であってもよい。本実施形態に係る編集に関する条件が、本実施形態に係る処理開始条件と関連する条件である場合には、本実施形態に係る編集装置は、例えば、本実施形態に係る処理開始条件と連動して本実施形態に係る編集に関する条件を設定する。なお、本実施形態に係る処理開始条件、編集に関する条件の具体例については、後述する。
【００２２】
また、本実施形態に係る画像の編集とは、例えば、編集に関する条件を満たす複数の画像からなる、再生リスト（プレイリスト）の生成が挙げられるが、本実施形態に係る画像の編集は、上記に限られない。例えば、本実施形態に係る編集装置は、編集処理として、編集に関する条件を満たす複数の画像が結合された、１つの画像データを生成してもよい。
【００２３】
本実施形態に係る編集装置は、本実施形態に係る編集方法に係る処理として、例えば、（１）処理開始判定処理、（２）条件設定処理、および（３）編集処理を行う。ここで、本実施形態に係る編集装置は、（３）の処理（編集処理）において、（２）の処理（条件設定処理）において設定される編集に関する条件に基づいて、画像を編集するので、設定される編集に関する条件に基づくストーリ性を有する画像を編集することができる。また、本実施形態に係る編集装置は、（２）の処理（条件設定処理）において、（１）の処理（処理開始判定処理）において処理開始条件を満たすと判定された場合に、編集に関する条件を設定するので、編集に際して与えるストーリを変化させることが可能である。
【００２４】
したがって、本実施形態に係る編集装置は、本実施形態に係る編集方法に係る（１）の処理（処理開始判定処理）、（２）の処理（条件設定処理）、および（３）の処理（編集処理）を行うことによって、ストーリ性を有する画像を編集し、編集に際して与えるストーリを変化させることができる。以下、本実施形態に係る編集方法に係る処理についてより具体的に説明する。
【００２５】
（Ｉ）編集方法に係る処理の第１の例
本実施形態に係る編集装置は、例えば、時間に関する条件、編集された画像の再生に関する条件、編集を開始する開始命令に関する条件のいずれかの条件を満たす場合に、処理開始条件を満たすと判定する（処理開始判定処理の一例）。
【００２６】
処理開始条件を満たすと判定された場合には、本実施形態に係る編集装置は、例えば、ランダムに、編集に関する条件を設定する（条件設定処理の一例）。なお、本実施形態に係る編集装置は、例えば、処理開始条件を満たすと判定されるごとに、人に関する条件、物に関する条件、時間に関する条件などの特定の条件を、順番に編集に関する条件として設定してもよい。
【００２７】
そして、本実施形態に係る編集装置は、設定された編集に関する条件を満たす画像（例えば、画像全体、または、動画像の場合には、当該編集に関する条件を満たす一部のフレーム画像。以下、同様とする。）に基づいて、画像の編集を行う（編集処理の一例）。
【００２８】
本実施形態に係る編集装置が上記のような処理を行うことによって、例えば、下記が実現される。
・一定時間を経過した場合に編集を行い、ストーリを変化させる
・同じユーザが所定の回数を超えて画像を再生しようとした場合に編集を行い、ストーリを変化させる
・画像が所定の再生回数を超えて再生される場合に編集を行い、ストーリを変化させる
・編集を開始する開始命令（ユーザからのリクエストに相当）が検出された場合に編集を行い、ストーリを変化させる
【００２９】
上記のような処理を行うことによって、本実施形態に係る編集装置は、例えば、ユーザが編集された画像に飽きることを防止することができる。
【００３０】
なお、本実施形態に係る編集装置における、第１の例に係る処理は、上記に限られない。例えば、本実施形態に係る編集装置は、編集を開始する開始命令が検出された場合に、処理開始条件を満たすと判定し、編集を開始する開始命令が再度検出された場合であっても、所定の条件が満たされるまで、再度処理開始条件を満たすとは判定しなくてもよい（処理開始判定処理の一例）。ここで、上記所定の条件としては、例えば、時間に関する条件、および／または、編集された画像の再生に関する条件が挙げられる。
【００３１】
上記のような処理開始判定処理を行うことによって、例えば、“Ｗｅｂカメラのように、一度リクエストを受けたら、一定時間が経過するまで、あるいは一定の再生回数に達するまでは、次のユーザのリクエストを受けない”ことが実現される
【００３２】
（ＩＩ）編集方法に係る処理の第２の例
本実施形態に係る編集装置は、例えば、ユーザ操作に基づく画像の再生を開始する開始命令や、ユーザ操作に基づく編集を開始する開始命令が検出された場合に、処理開始条件を満たすと判定する（処理開始判定処理の一例）。ここで、本実施形態に係る編集装置は、例えば、操作部（後述する）から伝達される所定の操作信号、または、リモート・コントローラなどの外部操作装置から送信された所定の外部操作信号が検出された場合に、処理開始条件を満たすと判定する。
【００３３】
処理開始条件を満たすと判定された場合には、本実施形態に係る編集装置は、例えば、ユーザ操作を行ったユーザに関連する情報に基づいて、編集に関する条件を設定する（条件設定処理の一例）。ここで、本実施形態に係るユーザに関連する情報としては、例えば、ユーザ操作を行ったユーザが撮像した画像（素材）の統計情報や、当該画像において出現頻度の高い被写体、当該画像に関するシーンの情報が挙げられる。なお、本実施形態に係るユーザに関連する情報は、上記ユーザが撮像した画像についての情報に限られない。例えば、本実施形態に係るユーザに関連する情報は、ユーザ操作を行ったユーザが過去に再生した画像についての情報（上記ユーザが撮像した画像についての情報と同様の情報）や、ユーザ操作を行ったユーザの家族、友人に関する情報、ユーザ操作を行ったユーザが属するコミュニティ、組織に関する情報であってもよい。また、本実施形態に係るユーザに関連する情報は、例えば、ユーザによってユーザの好みや注目被写体などが指定された情報であってもよい。
【００３４】
本実施形態に係る編集装置は、例えば、検出された画像の再生を開始する開始命令や編集を開始する開始命令に含まれる、または、これらの開始命令と併せて検出された、ユーザＩＤに基づいて、ユーザ操作を行ったユーザを特定する。そして、本実施形態に係る編集装置は、特定されたユーザに対応する情報（ユーザに関連する情報）を、記憶部（後述する）やサーバなどの外部装置から取得して、編集に関する条件を設定する。ここで、本実施形態に係る編集装置が、ユーザに関連する情報に基づいて設定する編集に関する条件としては、例えば、ユーザ操作を行ったユーザが撮像した画像（素材）において出現頻度の高い被写体を含むことなど、ユーザに関連する情報に関する条件が挙げられる。
【００３５】
本実施形態に係る編集装置は、例えば上記のように、満たすと判定された処理開始条件に関連する、編集に関する条件を設定する。そして、本実施形態に係る編集装置は、設定された編集に関する条件を満たす画像に基づいて、画像の編集を行う（編集処理の一例）。
【００３６】
上記のような処理を行うことによって、本実施形態に係る編集装置は、例えば、ユーザが関心を抱いているポイントやユーザが注目しているポイントに対応する画像を、ユーザごとに編集することが可能となる。よって、本実施形態に係る編集装置は、例えば、ユーザが編集された画像に飽きることを防止することができる。
【００３７】
（ＩＩＩ）編集方法に係る処理の第３の例
本実施形態に係る編集装置は、例えば、画像の再生についてのユーザの反応数または再生された画像に対するユーザの反応数が、閾値以上の場合、または、当該閾値より大きい場合に、処理開始条件を満たすと判定する（処理開始判定処理の一例）。
【００３８】
ここで、本実施形態に係る画像の再生についてのユーザの反応数としては、例えば、ユーザが再生を中断した回数や、ユーザが巻き戻して再生した回数などが挙げられる。ユーザが再生を中断した回数によって、本実施形態に係る編集装置は、例えば、ユーザが興味を持っていない（例えば、面白いと感じていない）場面などを推定することができる。また、ユーザが巻き戻して再生した回数によって、本実施形態に係る編集装置は、例えば、ユーザが興味を持っている（例えば、注目している）場面などを推定することができる。
【００３９】
処理開始条件を満たすと判定された場合には、本実施形態に係る編集装置は、例えば、処理開始条件を満たすと判定されたときの反応数に対応する画像、または画像の再生区間に基づいて、編集に関する条件を設定する（条件設定処理の一例）。
【００４０】
より具体的には、本実施形態に係る編集装置は、例えば、処理開始条件を満たすと判定されたときの反応数に対応する画像、または再生区間から、高い相関を示す要素を抽出し、抽出された要素に基づく条件を、編集に関する条件として設定する。例えば、特定の被写体が含まれる画像の再生区間において処理開始条件を満たすと判定された場合には、本実施形態に係る編集装置は、“当該特定の被写体を含むこと”を編集に関する条件として設定する。
【００４１】
ここで、本実施形態に係る編集装置は、例えば、本件出願人が出願した特開２０１１−１７０６９０号公報に記載の技術を用いることによって、高い相関を示す要素を画像から抽出する。なお、本実施形態に係る編集装置が用いることが可能な、高い相関を示す要素を画像から抽出する方法が、上記に限られないことは、言うまでもない。
【００４２】
本実施形態に係る編集装置は、例えば上記のように、満たすと判定された処理開始条件に関連する、編集に関する条件を設定する。そして、本実施形態に係る編集装置は、設定された編集に関する条件を満たす画像に基づいて、画像の編集を行う（編集処理の一例）。
【００４３】
上記のような処理を行うことによって、本実施形態に係る編集装置は、例えば、ユーザが自己のリアクションを画像に上乗せしたり、時間に沿ってコメントをできるようなサービスを利用する場合においても、ユーザの反応数に基づいて編集を行い、ストーリを変化させることができる。また、本実施形態に係る編集装置は、例えば、ユーザの反応数が多いシーン（すなわち、ユーザが注目しているシーン）を中心としてストーリを組み立てなおすことが可能である。よって、本実施形態に係る編集装置は、例えば、ユーザが編集された画像に飽きることを防止することができる。
【００４４】
（ＩＶ）編集方法に係る処理の第４の例
本実施形態に係る編集装置は、例えば、再生されている画像に対して行われるユーザの選択操作が検出された場合に、処理開始条件を満たすと判定する（処理開始判定処理の一例）。ここで、本実施形態に係る選択操作としては、例えば、操作部（後述する）や外部操作装置を用いた操作（例えば、ボタン操作や、タッチスクリーンに対するタッチ操作など）や、ポインティングデバイスを用いたポインティング操作などが挙げられる。
【００４５】
処理開始条件を満たすと判定された場合には、本実施形態に係る編集装置は、例えば、選択操作に対応する画像に基づいて、編集に関する条件を設定する（条件設定処理の一例）。
【００４６】
図１は、本実施形態に係る編集装置における編集方法に係る処理の一例を説明するための説明図である。ここで、図１に示すＳＴ１〜ＳＴ３それぞれは、あるイベントにおいて撮像された画像（素材）を編集対象の候補となる画像としたときに、設定される編集に関する条件に基づき実現されるストーリの一例を示している。より具体的には、ストーリＳＴ１は、場所Ａが編集に関する条件として設定された場合に実現されるストーリの一例を示している。また、ストーリＳＴ２は、時間が編集に関する条件として設定された場合に実現されるストーリの一例を示している。そして、ストーリＳＴ３は、人物が編集に関する条件として設定された場合に実現されるストーリの一例を示している。
【００４７】
例えば、ストーリＳＴ１に基づく編集された画像が再生されているときにおいて、ユーザの選択操作が検出された場合、本実施形態に係る編集装置は、編集に関する条件を時間（例えば時間範囲）に設定する。そして、本実施形態に係る編集装置は、設定した時間に係る条件（編集に関する条件の一例）に対応する画像を、編集対象の候補となる画像から特定して、画像の編集を行う。よって、上記の場合には、図１に示すストーリＳＴ２が実現される。
【００４８】
また、例えば、ストーリＳＴ２に基づく編集された画像が再生されているときにおいて、特定の人物を選択する選択操作が検出された場合、本実施形態に係る編集装置は、編集に関する条件を選択された特定の人物（図１の例では、人物７）に設定する。そして、本実施形態に係る編集装置は、設定した人物に係る条件（編集に関する条件の一例）に対応する画像を、編集対象の候補となる画像から特定して、画像の編集を行う。よって、上記の場合には、図１に示すストーリＳＴ３が実現される。
【００４９】
本実施形態に係る編集装置は、例えば上記のように、満たすと判定された処理開始条件に関連する、編集に関する条件を設定し、設定された編集に関する条件を満たす画像に基づいて、画像の編集を行う（編集処理の一例）。
【００５０】
上記のような処理を行うことによって、本実施形態に係る編集装置は、例えば、ユーザのアクションをトリガとしてストーリを変化させることができる。例えば、Ｗｅｂコンテンツのようにクリッカブルな再生環境の場合には、ユーザが、再生されている画像が示す被写体や場面などをクリックする（またはタッチする）などのアクションを起こすことによって、本実施形態に係る編集装置は、編集を行い、ストーリを変化させることが可能である。よって、本実施形態に係る編集装置は、例えば、ユーザが編集された画像に飽きることを防止することができる。
【００５１】
（Ｖ）編集方法に係る処理の第５の例
本実施形態に係る編集装置は、例えば、編集対象の候補となる画像数が変動した場合に、処理開始条件を満たすと判定する（処理開始判定処理の一例）。ここで、本実施形態に係る編集対象の候補となる画像数が変動した場合としては、例えば、クラウドコンピューティングを提供するサービス事業者が有するサーバ上において、複数のユーザが画像を共有しているときに、共有されている画像（素材）の追加、または削除が行われた場合が、挙げられる。なお、本実施形態に係る編集対象の候補となる画像数が変動した場合は、上記に限られない。例えば、本実施形態に係る編集装置は、記憶部（後述する）に記憶されている画像（素材）の追加、または削除が行われた場合に、編集対象の候補となる画像数が変動したと判定してもよい。
【００５２】
処理開始条件を満たすと判定された場合には、本実施形態に係る編集装置は、例えば、編集対象の候補となる画像に基づいて、編集に関する条件を設定する（条件設定処理の一例）。
【００５３】
例えば、編集対象の候補となる画像が追加されたことによって処理開始条件を満たすと判定された場合には、本実施形態に係る編集装置は、追加された画像を基準として、編集に関する条件を設定する。図２は、本実施形態に係る編集装置における編集方法に係る処理の一例を説明するための説明図である。
【００５４】
例えば、図２に示す別のイベントに係る画像（素材）が新たに追加された場合には、本実施形態に係る編集装置は、新たに追加された画像を基準として、新たに追加された画像と既存の画像（素材）との共通点である、被写体「人物７」に関する条件を、編集に関する条件として設定する。ここで、「人物７」に関する条件としては、例えば、“人物７を含む画像であること”が挙げられる。そして、本実施形態に係る編集装置は、設定した「人物７」に係る条件（編集に関する条件の一例）に対応する画像を、編集対象の候補となる画像から特定して、画像の編集を行う。よって、上記の場合には、図２に示すストーリＳＴ４が実現される。
【００５５】
編集対象の候補となる画像が追加されたことによって処理開始条件を満たすと判定された場合には、例えば図２に示すように、満たすと判定された処理開始条件に関連する、編集に関する条件を設定する。なお、編集対象の候補となる画像が追加されたことによって処理開始条件を満たすと判定された場合における編集に関する条件の設定方法が、上記に限られないことは、言うまでもない。
【００５６】
また、編集対象の候補となる画像が削除されたことによって処理開始条件を満たすと判定された場合には、本実施形態に係る編集装置は、例えば、削除後の編集対象の候補となる各画像における共通点（例えば、共通点が複数ある場合には、最も画像数が多い共通点など）に関する条件を、編集に関する条件として設定する。なお、編集対象の候補となる画像が削除されたことによって処理開始条件を満たすと判定された場合における編集に関する条件の設定方法が、上記に限られないことは、言うまでもない。
【００５７】
本実施形態に係る編集装置は、例えば上記のように、編集に関する条件を設定し、設定された編集に関する条件を満たす画像に基づいて、画像の編集を行う（編集処理の一例）。
【００５８】
上記のような処理を行うことによって、本実施形態に係る編集装置は、例えば、編集対象の候補となる画像数の増減に応じて編集を行い、ストーリを変化させることができる。よって、本実施形態に係る編集装置は、例えば、ユーザが編集された画像に飽きることを防止することができる。
【００５９】
本実施形態に係る編集装置は、本実施形態に係る編集方法に係る処理として、例えば上記第１の例〜上記第５の例に係る処理を行う。なお、本実施形態に係る編集方法に係る処理が、上記第１の例〜上記第５の例に係る処理に限られないことは、言うまでもない。
【００６０】
［２］本実施形態に係る編集方法に係る処理の一例
次に、本実施形態に係る編集方法に係る処理について、より具体的に説明する。図３は、本実施形態に係る編集方法に係る処理の一例を示す流れ図である。以下では、本実施形態に係る編集装置が、図３に示す処理を行うものとして説明する。ここで、図３では、例えば、ステップＳ１０６、Ｓ１０８の処理が、上記（１）の処理（処理開始判定処理）に該当し、また、ステップＳ１１０、Ｓ１１２の処理が、上記（２）の処理（条件設定処理）に該当する。また、図３では、例えば、ステップＳ１０２、Ｓ１１４の処理が、上記（３）の処理（編集処理）に該当する。
【００６１】
また、図３は、本実施形態に係る編集装置が、ユーザの反応数（以下、「ユーザ反応数」と示す場合がある。）に基づく条件を、処理開始条件の一つとしている場合における処理の一例を示している。また、図３では、本実施形態に係る編集に関する条件を、「拘束条件」と示している。
【００６２】
本実施形態に係る編集装置は、ユーザ反応数を初期化する（Ｓ１００）。ここで、ステップＳ１００において初期化されたユーザ反応数の値は、後述するユーザ反応数の更新に係る処理において更新される。
【００６３】
ステップＳ１００の処理が行われると、本実施形態に係る編集装置は、例えば、初期設定された拘束条件（編集に関する条件）に基づいて、画像を編集する（Ｓ１０２）。なお、ユーザが再生することが可能な編集された画像が、記憶部（後述する）などに記憶されている場合には、本実施形態に係る編集装置は、例えば、ステップＳ１０２の処理を行わなくてもよい。
【００６４】
本実施形態に係る編集装置は、ユーザ反応数を計数する（Ｓ１０４）。本実施形態に係る編集装置は、例えば、画像の再生についてのユーザ反応数を示すカウント値と、再生された画像に対するユーザの反応数を示すカウント値とを確認することによって、ステップＳ１０４の処理を行う。
【００６５】
〔ユーザ反応数の更新に係る処理の一例〕
ここで、本実施形態に係るユーザ反応数を示すカウント値を更新する処理の一例について説明する。以下では、本実施形態に係る編集装置が、ユーザが反応に係る操作や動作を行う対象の装置（以下、「ユーザ装置」と示す。）から送信されるコマンドに基づいて、ユーザ反応数の更新に係る処理を行う場合を例に挙げて、ユーザ反応数の更新に係る処理の一例について説明する。つまり、以下では、本実施形態に係る編集装置とユーザ装置とが、クライアントサーバシステムを構成している場合を例に挙げて説明する。なお、本実施形態に係るユーザ反応数を示すカウント値を更新する処理は、下記に示すクライアントサーバシステムにおいて行われることに限られず、例えば、本実施形態に係る編集装置が行ってもよい。
【００６６】
図４、図５は、本実施形態に係る編集装置におけるユーザ反応数の更新に係る処理の一例を説明するための流れ図である。ここで、図４は、ユーザ装置における処理（クライアント側の処理に相当する。）の一例を示しており、また、図５は、本実施形態に係る編集装置におけるユーザ反応数の更新に係る処理（サーバ側におけるフロントエンドの処理に相当する。）の一例を示している。
【００６７】
〔ｉ〕本実施形態に係るユーザ装置における処理の一例（図４）
本実施形態に係るユーザ装置は、ユーザ操作が検出されたか否かを判定する（Ｓ２００）。ユーザ装置が検出するユーザ操作としては、例えば、画像の再生や巻き戻し、早送りなどの画像の再生についての操作や、再生された画像に対する操作が挙げられる。また、ユーザ装置が検出する再生された画像に対する操作としては、例えば、再生されている画像の選択操作や、ＳＮＳなどを提供する他のシステムに対するコメントの書き込みや投稿、ジェスチャ操作などが挙げられる。
【００６８】
ステップＳ２００においてユーザ操作が検出されたと判定されない場合には、本実施形態に係るユーザ装置は、ユーザ操作が検出されたと判定されるまで処理を進めない。
【００６９】
また、ステップＳ２００においてユーザ操作が検出されたと判定された場合には、本実施形態に係るユーザ装置は、検出されたユーザ操作の種別を判別する（Ｓ２０２）。
【００７０】
ステップＳ２０２においてユーザ操作の種別を判別すると、本実施形態に係るユーザ装置は、判別されたユーザ操作が、画像の再生についての操作であるか否かを判定する（Ｓ２０４）。
【００７１】
ステップＳ２０４において画像の再生についての操作であると判定された場合には、本実施形態に係るユーザ装置は、ステップＳ２０２において判別された再生についての操作に対応するコマンドを、本実施形態に係る編集装置へ送信する（Ｓ２０６）。そして、本実施形態に係るユーザ装置は、処理を終了する。なお、図４に示す本実施形態に係るユーザ装置における処理は、一度終了したら再度行われない類の処理ではなく、例えば、定期的、非定期的に、繰り返し行われる。
【００７２】
なお、本実施形態に係るユーザ装置が画像の再生についての処理を行う場合には、本実施形態に係るユーザ装置は、例えばステップＳ２０６の処理の前後、または、ステップＳ２０６の処理と同期して、再生についての処理を行ってもよい。
【００７３】
また、ステップＳ２０４において画像の再生についての操作であると判定されない場合には、本実施形態に係るユーザ装置は、ステップＳ２０２において判別された操作の種別に応じた処理を行う（Ｓ２０８）。例えば、判別された操作の種別が、ＳＮＳなどの他のシステムに対するコメントの書き込みや投稿である場合には、コメントの書き込みや投稿に係る処理を行う。また、判別された操作の種別が、例えば、ジェスチャ操作である場合には、認識されたジェスチャに対応する処理を行う。
【００７４】
本実施形態に係るユーザ装置は、ステップＳ２０２において判別された操作の種別に対応するコマンドを、本実施形態に係る編集装置へ送信する（Ｓ２１０）。そして、本実施形態に係るユーザ装置は、処理を終了する。
【００７５】
なお、図４では、ステップＳ２０８の処理の後にステップＳ２１０の処理が行われる例を示しているが、本実施形態に係るユーザ装置における処理は、上記に限られない。例えば、本実施形態に係るユーザ装置は、ステップＳ２１０の処理の後にステップＳ２０８の処理を行ってもよいし、ステップＳ２０８の処理とステップＳ２１０の処理とを同期して行ってもよい。
【００７６】
本実施形態に係るユーザ装置は、例えば図４に示す処理を行うことによって、検出されたユーザ操作の種別に対応するコマンドを、本実施形態に係る編集装置へ送信する。なお、本実施形態に係るユーザ装置における処理が、図４に示す処理に限られないことは、言うまでもない。
【００７７】
〔ｉｉ〕本実施形態に係る編集装置におけるユーザ反応数の更新に係る処理の一例（図５）
本実施形態に係る編集装置は、コマンドが受信されたか否かを判定する（Ｓ３００）。ステップＳ３００においてコマンドが受信されたと判定されない場合には、本実施形態に係る編集装置は、コマンドが受信されたと判定されるまで、処理を進めない。
【００７８】
ステップＳ３００においてコマンドが受信されたと判定された場合には、本実施形態に係る編集装置は、コマンドの種別を判別する（Ｓ３０２）。
【００７９】
ステップＳ３０２においてコマンドの種別を判別すると、本実施形態に係る編集装置は、判別されたコマンドが、画像の再生についてのコマンドであるか否かを判定する（Ｓ３０４）。
【００８０】
ステップＳ３０４において、判別されたコマンドが画像の再生についてのコマンドであると判定された場合には、本実施形態に係る編集装置は、ステップＳ３０２において判別された種別に応じた再生についての処理を行う（Ｓ３０６）。
【００８１】
なお、本実施形態に係るユーザ装置において、画像の再生についての処理が行われる場合には、本実施形態に係る編集装置は、例えば、ステップＳ３０６の処理を行わなくてもよい。
【００８２】
本実施形態に係る編集装置は、ステップＳ３０２において判別された再生についてのコマンドに対応するカウントをアップする（Ｓ３０８）。ステップＳ３０８の処理が行われることによって、本実施形態に係る編集装置では、画像の再生についてのユーザ反応数が更新される。そして、本実施形態に係る編集装置は、処理を終了する。なお、図５に示す本実施形態に係る編集装置における処理は、一度終了したら再度行われない類の処理ではなく、例えば、定期的、非定期的に、繰り返し行われる。
【００８３】
また、ステップＳ３０４において、判別されたコマンドが画像の再生についてのコマンドであると判定されない場合には、本実施形態に係る編集装置は、受信したコマンドに応じた処理を行う（Ｓ３１０）。なお、受信したコマンドが、本実施形態に係る編集装置以外の他の装置における処理を示すコマンドである場合には、本実施形態に係る編集装置は、受信したコマンドに応じた処理を行わなくてもよい。
【００８４】
本実施形態に係る編集装置は、ステップＳ３０２において判別されたコマンドの種別に対応するカウントをアップする（Ｓ３１２）。ステップＳ３１２の処理が行われることによって、本実施形態に係る編集装置では、再生された画像に対するユーザ反応数が更新される。そして、本実施形態に係る編集装置は、処理を終了する。
【００８５】
なお、図５では、ステップＳ３１０の処理の後にステップＳ３１２の処理が行われる例を示しているが、本実施形態に係る編集装置における処理は、上記に限られない。例えば、本実施形態に係る編集装置は、ステップＳ３１２の処理の後にステップＳ３１０の処理を行ってもよいし、ステップＳ３１０の処理とステップＳ３１２の処理とを同期して行ってもよい。
【００８６】
本実施形態に係る編集装置は、例えば図５に示す処理を行うことによって、ユーザ反応数を示すカウント値を更新する。なお、本実施形態に係る編集装置におけるユーザ反応数の更新に係る処理が、図５に示す処理に限られないことは、言うまでもない。
【００８７】
再度図３を参照して、本実施形態に係る編集方法に係る処理の一例について説明する。本実施形態に係る編集装置は、ユーザ反応数のピーク値が閾値以上であるか否か（または、当該ピーク値が閾値より大きいか否か）を判定する（Ｓ１０６）。ここで、本実施形態に係る閾値は、例えば、予め規定された固定値であってもよいし、本実施形態に係る編集装置の管理者などによって変更可能な可変値であってもよい。
【００８８】
ステップＳ１０６においてユーザ反応数のピーク値が閾値以上であると判定されない場合には、本実施形態に係る編集装置は、前回の編集が行われてから一定時間が経過したか否かを判定する（Ｓ１０８）。ここで、ステップＳ１０８における一定時間は、予め規定された固定時間であってもよいし、本実施形態に係る編集装置の管理者などによって変更可能な可変時間であってもよい。
【００８９】
ステップＳ１０８において前回の編集が行われてから一定時間が経過したと判定された場合には、本実施形態に係る編集装置は、後述するステップＳ１１２の処理を行う。また、ステップＳ１０８において前回の編集が行われてから一定時間が経過したと判定されない場合には、本実施形態に係る編集装置は、後述するステップＳ１１８の処理を行う。
【００９０】
また、ステップＳ１０６においてユーザ反応数のピーク値が閾値以上であると判定された場合には、本実施形態に係る編集装置は、画像におけるパラメータ高値区間（ユーザ反応数のピーク値が閾値以上に対応する区間）において、高相関要素を抽出する（Ｓ１１０）。ここで、本実施形態に係る編集装置は、例えば、本件出願人が出願した特開２０１１−１７０６９０号公報に記載の技術を用いることによって、高い相関を示す要素を、高相関要素として画像から抽出する。
【００９１】
ステップＳ１０８において一定時間が経過したと判定された場合、または、ステップＳ１１０の処理が完了した場合には、本実施形態に係る編集装置は、拘束条件（編集に関する条件）を設定する（Ｓ１１２）。ここで、本実施形態に係る編集装置は、ステップＳ１０８において一定時間が経過したと判定された場合には、上記第１の例に係る処理と同様に、例えばランダムに拘束条件を設定する。また、本実施形態に係る編集装置は、ステップＳ１１０の処理が完了した場合には、上記第３の例に係る処理と同様に、例えばステップＳ１１０において抽出された高相関要素に基づく条件を、編集に関する条件として設定する。
【００９２】
ステップＳ１１２において拘束条件（編集に関する条件）が設定されると、本実施形態に係る編集装置は、設定された拘束条件に基づいて、画像を編集する（Ｓ１１４）。
【００９３】
ステップＳ１１４の処理が行われると、本実施形態に係る編集装置は、例えばユーザ反応数を示すカウント値を“０”（ゼロ）とすることにより、ユーザ反応数を初期化する（Ｓ１１６）。ここで、本実施形態に係る編集装置は、例えば、全てのユーザ反応数を示すカウント値を初期化してもよいし、ステップＳ１０６においてユーザ反応数のピーク値が閾値以上であると判定された、ユーザ反応数を示すカウント値を、選択的に初期化してもよい。
【００９４】
ステップＳ１０８において一定時間が経過したと判定されない場合、または、ステップＳ１１６の処理が完了した場合には、本実施形態に係る編集装置は、本実施形態に係る編集方法に係る処理を終了するか否かを判定する（Ｓ１１８）。ここで、本実施形態に係る編集装置は、例えば、処理を終了することを示すユーザ操作（例えば、本実施形態に係る編集方法に係る処理を行う機能をオフにするユーザ操作）が検出された場合に、本実施形態に係る編集方法に係る処理を終了すると判定する。
【００９５】
ステップＳ１１８において本実施形態に係る編集方法に係る処理を終了すると判定されない場合には、本実施形態に係る編集装置は、例えば、一定期間処理を行わないインターバル処理を行う（Ｓ１２０）。そして、本実施形態に係る編集装置は、例えば、ステップＳ１０４からの処理を繰り返す。ここで、ステップＳ１２０における一定時間は、予め規定された固定時間であってもよいし、本実施形態に係る編集装置の管理者などによって変更可能な可変時間であってもよい。
【００９６】
また、ステップＳ１１８において本実施形態に係る編集方法に係る処理を終了すると判定された場合には、本実施形態に係る編集装置は、本実施形態に係る編集方法に係る処理を終了する。
【００９７】
本実施形態に係る編集装置は、例えば図３に示す処理を行うことによって、本実施形態に係る編集方法に係る（１）の処理（処理開始判定処理）、（２）の処理（条件設定処理）、および（３）の処理（編集処理）を実現する。なお、本実施形態に係る編集方法に係る処理が、図３に示す処理に限られないことは、言うまでもない。
【００９８】
（本実施形態に係る編集装置）
次に、上述した本実施形態に係る編集方法に係る処理を行うことが可能な、本実施形態に係る編集装置の構成の一例について、説明する。
【００９９】
図６は、本実施形態に係る編集装置１００の構成の一例を示すブロック図である。編集装置１００は、例えば、通信部１０２と、制御部１０４とを備える。
【０１００】
また、編集装置１００は、例えば、ＲＯＭ（Read  Only  Memory。図示せず）や、ＲＡＭ（Random  Access  Memory。図示せず）、記憶部（図示せず）、ユーザが操作可能な操作部（図示せず）、様々な画面を表示画面に表示する表示部（図示せず）などを備えていてもよい。編集装置１００は、例えば、データの伝送路としてのバス（bus）により上記各構成要素間を接続する。
【０１０１】
ここで、ＲＯＭ（図示せず）は、制御部１０４が使用するプログラムや演算パラメータなどの制御用データを記憶する。ＲＡＭ（図示せず）は、制御部１０４により実行されるプログラムなどを一時的に記憶する。
【０１０２】
記憶部（図示せず）は、編集装置１００が備える記憶手段であり、例えば、編集対象の候補となる画像データや、編集結果を示すデータ（例えば、再生リストデータや、画像データ）、アプリケーションなど様々なデータを記憶する。ここで、記憶部（図示せず）としては、例えば、ハードディスク（Hard  Disk）などの磁気記録媒体や、ＥＥＰＲＯＭ（Electrically  Erasable  and  Programmable  Read  Only  Memory）、フラッシュメモリ（flash  memory）などの不揮発性メモリ（nonvolatile  memory）などが挙げられる。また、記憶部（図示せず）は、編集装置１００から着脱可能であってもよい。
【０１０３】
［編集装置１００のハードウェア構成例］
図７は、本実施形態に係る編集装置１００のハードウェア構成の一例を示す説明図である。編集装置１００は、例えば、ＭＰＵ１５０と、ＲＯＭ１５２と、ＲＡＭ１５４と、記録媒体１５６と、入出力インタフェース１５８と、操作入力デバイス１６０と、表示デバイス１６２と、通信インタフェース１６４とを備える。また、編集装置１００は、例えば、データの伝送路としてのバス１６６で各構成要素間を接続する。
【０１０４】
ＭＰＵ１５０は、例えば、ＭＰＵ（Micro  Processing  Unit）や、各種処理回路などで構成され編集装置１００全体を制御する制御部１０４として機能する。また、ＭＰＵ１５０は、編集装置１００において、例えば、後述する処理開始判定部１１０、条件設定部１１２、および編集処理部１１４の役目を果たす。
【０１０５】
ＲＯＭ１５２は、ＭＰＵ１５０が使用するプログラムや演算パラメータなどの制御用データなどを記憶する。ＲＡＭ１５４は、例えば、ＭＰＵ１５０により実行されるプログラムなどを一時的に記憶する。
【０１０６】
記録媒体１５６は、記憶部（図示せず）として機能し、例えば、編集対象の候補となる画像データや、編集結果を示すデータ、アプリケーションなど様々なデータを記憶する。ここで、記録媒体１５６としては、例えば、ハードディスクなどの磁気記録媒体や、フラッシュメモリなどの不揮発性メモリが挙げられる。また、記録媒体１５６は、編集装置１００から着脱可能であってもよい。
【０１０７】
入出力インタフェース１５８は、例えば、操作入力デバイス１６０や、表示デバイス１６２を接続する。操作入力デバイス１６０は、操作部（図示せず）として機能し、また、表示デバイス１６２は、表示部（図示せず）として機能する。ここで、入出力インタフェース１５８としては、例えば、ＵＳＢ（Universal  Serial  Bus）端子や、ＤＶＩ（Digital  Visual  Interface）端子、ＨＤＭＩ（High-Definition  Multimedia  Interface）端子、各種処理回路などが挙げられる。また、操作入力デバイス１６０は、例えば、編集装置１００上に備えられ、編集装置１００の内部で入出力インタフェース１５８と接続される。操作入力デバイス１６０としては、例えば、ボタン、方向キー、ジョグダイヤルなどの回転型セレクター、あるいは、これらの組み合わせなどが挙げられる。また、表示デバイス１６２は、例えば、編集装置１００上に備えられ、編集装置１００の内部で入出力インタフェース１５８と接続される。表示デバイス１６２としては、例えば、液晶ディスプレイ（Liquid  Crystal  Display；ＬＣＤ）や有機ＥＬディスプレイ（organic  ElectroLuminescence  display。または、ＯＬＥＤディスプレイ（Organic  Light  Emitting  Diode  display）ともよばれる。）などが挙げられる。
【０１０８】
なお、入出力インタフェース１５８が、編集装置１００の外部装置としての操作入力デバイス（例えば、キーボードやマウスなど）や、表示デバイスなどの、外部デバイスと接続することもできることは、言うまでもない。また、表示デバイス１６２は、例えばタッチスクリーンなど、表示とユーザ操作とが可能なデバイスであってもよい。
【０１０９】
通信インタフェース１６４は、編集装置１００が備える通信手段であり、ネットワークを介して（あるいは、直接的に）、サーバや、ユーザ装置などの外部装置と無線／有線で通信を行うための通信部１０２として機能する。ここで、通信インタフェース１６４としては、例えば、通信アンテナおよびＲＦ（Radio  Frequency）回路（無線通信）や、ＩＥＥＥ８０２．１５．１ポートおよび送受信回路（無線通信）、ＩＥＥＥ８０２．１１ｂポートおよび送受信回路（無線通信）、あるいはＬＡＮ（Local  Area  Network）端子および送受信回路（有線通信）などが挙げられる。また、本実施形態に係るネットワークとしては、例えば、ＬＡＮやＷＡＮ（Wide  Area  Network）などの有線ネットワーク、無線ＬＡＮ（ＷＬＡＮ；Wireless  Local  Area  Network）や基地局を介した無線ＷＡＮ（ＷＷＡＮ；Wireless  Wide  Area  Network）などの無線ネットワーク、あるいは、ＴＣＰ／ＩＰ（Transmission  Control  Protocol/Internet  Protocol）などの通信プロトコルを用いたインターネットなどが挙げられる。
【０１１０】
編集装置１００は、例えば図７に示す構成によって、本実施形態に係る編集方法に係る処理を行う。なお、本実施形態に係る編集装置１００のハードウェア構成は、図１３に示す構成に限られない。例えば、編集装置１００は、静止画像または動画像を撮像する撮像部（図示せず）の役目を果たす撮像デバイスを備えていてもよい。撮像デバイスを備える場合には、編集装置１００は、例えば、撮像デバイスにおける撮像により生成された撮像画像を、編集対象の候補となる画像とすることが可能となる。
【０１１１】
ここで、本実施形態に係る撮像デバイスとしては、例えば、レンズ／撮像素子と信号処理回路とが挙げられる。レンズ／撮像素子は、例えば、光学系のレンズと、ＣＭＯＳ（Complementary  Metal  Oxide  Semiconductor）などの撮像素子を複数用いたイメージセンサとで構成される。また、信号処理回路は、例えば、ＡＧＣ（Automatic  Gain  Control）回路やＡＤＣ（Analog  to  Digital  Converter）を備え、撮像素子により生成されたアナログ信号をデジタル信号（画像データ）に変換し、各種信号処理を行う。信号処理回路が行う信号処理としては、例えば、Ｗｈｉｔｅ  Ｂａｌａｎｃｅ補正処理、色調補正処理、ガンマ補正処理、ＹＣｂＣｒ変換処理、エッジ強調処理などが挙げられる。
【０１１２】
また、編集装置１００は、例えば、スタンドアロンで処理を行う構成である場合には、通信デバイス１６４を備えていなくてもよい。また、編集装置１００は、操作デバイス１６０や表示デバイス１６２を備えない構成をとることも可能である。
【０１１３】
再度図６を参照して、編集装置１００の構成の一例について説明する。通信部１０２は、編集装置１００が備える通信手段であり、ネットワークを介して（あるいは、直接的に）、サーバや、ユーザ装置などの外部装置と無線／有線で通信を行う。また、通信部１０２は、例えば制御部１０４により通信が制御される。ここで、通信部１０２としては、例えば、通信アンテナおよびＲＦ回路や、ＬＡＮ端子および送受信回路などが挙げられるが、通信部１０２の構成は、上記に限られない。例えば、通信部１０２は、ＵＳＢ端子および送受信回路など通信を行うことが可能な任意の規格に対応する構成や、ネットワークを介して外部装置と通信可能な任意の構成をとることができる。
【０１１４】
制御部１０４は、例えばＭＰＵなどで構成され、編集装置１００全体を制御する役目を果たす。また、制御部１０４は、例えば、処理開始判定部１１０と、条件設定部１１２と、編集処理部１１４とを備え、本実施形態に係る編集方法に係る処理を主導的に行う役目を果たす。
【０１１５】
処理開始判定部１１０は、上記（１）の処理（処理開始判定処理）を主導的に行う役目を果たし、処理開始条件を満たすかを判定する。より具体的には、処理開始判定部１１０は、例えば、上述した第１の例に係る処理〜第５の例に係る処理（より厳密には、第１の例に係る処理〜第５の例に係る処理における処理開始判定処理）を行う。なお、処理開始判定部１１０における処理が、上述した第１の例に係る処理〜第５の例に係る処理に限られないことは、言うまでもない。
【０１１６】
また、処理開始判定部１１０は、例えば、処理開始条件を満たすと判定した場合に、判定結果を条件設定部１１２へ伝達する。また、処理開始判定部１１０は、判定結果と併せて、満たすと判定された処理開始条件を示すデータを条件設定部１１２へ伝達してもよい。
【０１１７】
条件設定部１１２は、上記（２）の処理（条件設定処理）を主導的に行う役目を果たし、処理開始判定部１１０から処理開始条件を満たすことを示す判定結果が伝達された場合（すなわち、処理開始条件を満たすと判定された場合）に、編集に関する条件を設定する。より具体的には、条件設定部１１２は、例えば、上述した第１の例に係る処理〜第５の例に係る処理（より厳密には、第１の例に係る処理〜第５の例に係る処理における条件設定処理）を行う。なお、条件設定部１１２における処理が、上述した第１の例に係る処理〜第５の例に係る処理に限られないことは、言うまでもない。
【０１１８】
また、条件設定部１１２は、設定した編集に関する条件を、編集処理部１１４へ伝達する。
【０１１９】
編集処理部１１４は、上記（３）の処理（編集処理）を主導的に行う役目を果たし、条件設定部１１２から伝達される編集に関する条件（設定された編集に関する条件）に基づいて、画像を編集する。より具体的には、編集処理部１１４は、例えば、上述した第１の例に係る処理〜第５の例に係る処理（より厳密には、第１の例に係る処理〜第５の例に係る処理における編集処理）を行う。なお、編集処理部１１４における処理が、上述した第１の例に係る処理〜第５の例に係る処理に限られないことは、言うまでもない。
【０１２０】
また、編集処理部１１４は、編集結果を示すデータを、例えば記憶部（図示せず）に記録する。なお、編集処理部１１４は、例えば、サーバやユーザ装置などの外部装置に、編集結果を示すデータを送信してもよい。
【０１２１】
制御部１０４は、例えば、処理開始判定部１１０、条件設定部１１２、および編集処理部１１４を備えることによって、本実施形態に係る編集方法に係る処理を主導的に行う。なお、本実施形態に係る制御部の構成は、図６に示す構成に限らない。例えば、本実施形態に係る制御部は、ユーザ反応数の更新に係る処理を主導的に行うユーザ反応数管理部（図示せず）をさらに備えていてもよい。
【０１２２】
編集装置１００は、例えば図６に示す構成によって、本実施形態に係る編集方法に係る処理（例えば、上記（１）の処理（処理開始判定処理）、上記（２）の処理（条件設定処理）、および上記（３）の処理（編集処理））を行う。したがって、編集装置１００は、例えば図６に示す構成によって、ストーリ性を有する画像を編集し、編集に際して与えるストーリを変化させることができ、また、ユーザが編集された画像に飽きることを防止することができる。
【０１２３】
なお、本実施形態に係る編集装置の構成は、図６に示す構成に限られない。例えば、本実施形態に係る編集装置は、図６に示す処理開始判定部１１０、条件設定部１１２、および編集処理部１１４のうちの１または２以上を個別に備える（例えば、個別の処理回路で実現する）ことができる。
【０１２４】
また、本実施形態に係る編集装置は、例えば、撮像部（図示せず）を備えていてもよい。撮像部（図示せず）を備える場合には、本実施形態に係る編集装置は、撮像部（図示せず）における撮像により生成された撮像画像を、編集対象の候補となる画像とすることが可能となる。
【０１２５】
また、本実施形態に係る編集装置は、例えば、スタンドアロンで処理を行う構成である場合には、通信部１０２を備えていなくてもよい。
【０１２６】
以上のように、本実施形態に係る編集装置は、本実施形態に係る編集方法に係る処理として、例えば、上記（１）の処理（処理開始判定処理）、上記（２）の処理（条件設定処理）、および上記（３）の処理（編集処理）を行う。ここで、本実施形態に係る編集装置は、上記（３）の処理（編集処理）において、上記（２）の処理（条件設定処理）において設定される編集に関する条件に基づいて、画像を編集するので、設定される編集に関する条件に基づくストーリ性を有する画像を編集することができる。また、本実施形態に係る編集装置は、上記（２）の処理（条件設定処理）において、上記（１）の処理（処理開始判定処理）において処理開始条件を満たすと判定された場合に、編集に関する条件を設定するので、編集に際して与えるストーリを変化させることが可能である。
【０１２７】
したがって、本実施形態に係る編集装置は、ストーリ性を有する画像を編集し、編集に際して与えるストーリを変化させることができる。
【０１２８】
また、本実施形態に係る編集装置は、例えば、音楽や音声などの音と異なり一般的に飽きやすく繰り返し視聴されることが少ない画像コンテンツについて、ストーリを変化させることによって、画像コンテンツの新鮮味を維持させることが可能である。よって、本実施形態に係る編集装置は、ユーザが編集された画像に飽きることを防止し、また、ユーザによる画像の視聴回数の増加を図ることができる。
【０１２９】
また、本実施形態に係る編集装置は、ストーリを変化させることによって、編集される画像（素材）も変化させることが可能である。よって、本実施形態に係る編集装置は、例えば、編集対象の候補となる画像における様々なシーンが編集対象として用いられる可能性を向上させることが可能であるので、編集対象の候補となる画像の無駄を減らし、編集対象の候補となる画像を有効活用することができる。
【０１３０】
さらに、本実施形態に係る編集装置は、例えば、ユーザのリアクションや視聴状況に基づく反応数に基づいて、本実施形態に係る編集方法に係る処理を行うことが可能である。よって、本実施形態に係る編集装置は、例えばユーザの関心を切り口として編集対象の候補となる画像（素材）を俯瞰し、画像を編集することができる。
【０１３１】
以上、本実施形態として編集装置を挙げて説明したが、本実施形態は、かかる形態に限られない。本実施形態は、例えば、携帯電話やスマートフォンなどの通信装置や、映像／音楽再生装置（または映像／音楽記録再生装置）、ゲーム機、ＰＣやタブレット型端末、サーバなどのコンピュータ、テレビ受像機などの表示装置、デジタルカメラなどの撮像装置など、画像の編集に係る処理を行うことが可能な様々な機器に適用することができる。また、本実施形態は、例えば、上記のような機器に組み込むことが可能な、処理ＩＣ（Integrated  Circuit）に適用することもできる。
【０１３２】
また、本実施形態に係る編集方法に係る処理は、例えばクラウドコンピューティングなどのように、ネットワークへの接続（または各装置間の通信）を前提とした、複数の装置からなる編集システムにより実現されてもよい。
【０１３３】
また、本実施形態としてユーザ装置を挙げて説明したが、本実施形態は、かかる形態に限られない。本実施形態は、例えば、携帯電話などの通信装置や、映像／音楽再生装置（または映像／音楽記録再生装置）、ゲーム機、ＰＣなどのコンピュータ、テレビ受像機などの表示装置、デジタルカメラなどの撮像装置など様々な機器に適用することができる。
【０１３４】
（本実施形態に係るプログラム）
コンピュータを、本実施形態に係る編集装置として機能させるためのプログラム（例えば、上記（１）の処理（処理開始判定処理）〜（３）の処理（編集処理）など、本実施形態に係る編集方法に係る処理を実行することが可能なプログラム）によって、ストーリ性を有する画像を編集し、編集に際して与えるストーリを変化させることができる。
【０１３５】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１３６】
例えば、上記では、コンピュータを、本実施形態に係る編集装置として機能させるためのプログラム（コンピュータプログラム）が提供されることを示したが、本実施形態は、さらに、上記プログラムをそれぞれ記憶させた記録媒体も併せて提供することができる。
【０１３７】
上述した構成は、本実施形態の一例を示すものであり、当然に、本開示の技術的範囲に属するものである。
【０１３８】
なお、以下のような構成も本開示の技術的範囲に属する。
（１）
画像の編集の開始に関する条件を示す処理開始条件を満たすかを判定する処理開始判定部と、
前記処理開始条件を満たすと判定された場合に、画像の編集における拘束条件を示す編集に関する条件を設定する条件設定部と、
設定された編集に関する条件に基づいて、画像を編集する編集処理部と、
を備える、編集装置。
（２）
前記条件設定部は、満たすと判定された前記処理開始条件に関連する、編集に関する条件を設定する、（１）に記載の編集装置。
（３）
前記処理開始判定部は、画像の再生についてのユーザの反応数または再生された画像に対するユーザの反応数が、閾値以上の場合、または、前記閾値より大きい場合に、前記処理開始条件を満たすと判定し、
前記条件設定部は、前記処理開始条件を満たすと判定されたときの前記反応数に対応する画像、または前記画像の再生区間に基づいて、前記編集に関する条件を設定する、（２）に記載の編集装置。
（４）
前記処理開始判定部は、ユーザ操作に基づく画像の再生を開始する開始命令が検出された場合に、前記処理開始条件を満たすと判定し、
前記条件設定部は、前記ユーザ操作を行ったユーザに関連する情報に基づいて、前記編集に関する条件を設定する、（２）に記載の編集装置。
（５）
前記処理開始判定部は、再生されている画像に対して行われるユーザの選択操作が検出された場合に、前記処理開始条件を満たすと判定し、
前記条件設定部は、前記選択操作に対応する画像に基づいて、前記編集に関する条件を設定する、（２）に記載の編集装置。
（６）
前記処理開始判定部は、編集対象の候補となる画像数が変動した場合に、前記処理開始条件を満たすと判定し、
前記条件設定部は、編集対象の候補となる画像に基づいて、前記編集に関する条件を設定する、（１）に記載の編集装置。
（７）
前記処理開始判定部は、編集対象の候補となる画像が追加された場合に、前記処理開始条件を満たすと判定し、
前記条件設定部は、追加された画像を基準として、前記編集に関する条件を設定する、（２）または（６）に記載の編集装置。
（８）
前記処理開始条件は、時間に関する条件、編集された画像の再生に関する条件、編集を開始する開始命令に関する条件のいずれかである、（１）に記載の編集装置。
（９）
前記処理開始判定部は、
編集を開始する開始命令が検出された場合に、前記処理開始条件を満たすと判定し、
前記処理開始条件を満たすと判定したときには、再度編集を開始する開始命令が検出された場合であっても、時間に関する条件、または編集された画像の再生に関する条件が満たされるまで、再度前記処理開始条件を満たすとは判定しない、（８）に記載の編集装置。
（１０）
画像の編集の開始に関する条件を示す処理開始条件を満たすかを判定するステップと、
前記処理開始条件を満たすと判定された場合に、画像の編集における拘束条件を示す編集に関する条件を設定するステップと、
設定された編集に関する条件に基づいて、画像を編集するステップと、
を有する、編集方法。
【符号の説明】
【０１３９】
１００    編集装置
１０２    通信部
１０４    制御部
１１０    処理開始判定部
１１２    条件設定部
１１４    編集処理部
【図１】
2013135280.tif 000003
【図２】
2013135280.tif 000004
【図３】
2013135280.tif 000005
【図４】
2013135280.tif 000006
【図５】
2013135280.tif 000007
【図６】
2013135280.tif 000008
【図７】
2013135280.tif 000009